(57)【要約】【課題】低周波で人体の胸部のつぼを電気激発させる補助装置を提供する。【解決手段】ワンセット又はワンセット以上の正電極ポイント１１および負電極ポイント１２を並列又は直列の組合せで銅箔板、導電ゴム又は導電フィルムに設置することにより、電気激発薄片１０を形成する。正電極ポイント１１および負電極ポイント１２は導電パス１１１又は導電パス１２１を経由して、正電極の極性接点部１１２又は負電極の極性接点部１２２に接続される。極性接点部１１２および極性接点部１２２は個別にワイヤ１１３又はワイヤ１２３で正電極ポイント１１又は負電極ポイント１２の導電挿入接続ピンに接続される。正電極ポイント１１および負電極ポイント１２が人体の胸部のつぼに対応するように分布され、低周波で人体の胸部のつぼを電気激発および按摩する。【選択図】    図１
2004236686.tif 000002
【特許請求の範囲】
【請求項１】
ワンセット又はワンセット以上の正負電極ポイントを並列又は直列の組合せで銅箔板、導電ゴム又は導電フィルムに設置することにより、電気激発薄片を形成し、ワンセット又はワンセット以上の正負電極ポイントが人体の胸部のつぼに対応するように分布されることを特徴とする低周波で人体の胸部のつぼを電気激発させる補助装置。
【請求項２】
各正負電極ポイントは導電パスを経由して、正電極又は負電極の極性接点部に接続されることを特徴とする請求項１記載の低周波で人体の胸部のつぼを電気激発させる補助装置。
【請求項３】
極性接点部（１１２）および極性接点部（１２２）は個別にワイヤで正電極ポイント（１１）又は負電極ポイント（１２）の導電挿入接続ピンに接続されることを特徴とする請求項２記載の低周波で人体の胸部のつぼを電気激発させる補助装置。
【請求項４】
導電パスが導電フィルム（１）の薄片体で挟まれる層に設けられ、正負電極ポイントの間は絶縁の状態となることを特徴とする請求項２記載の低周波で人体の胸部のつぼを電気激発させる補助装置。
【請求項５】
電気激発薄片としては、ワイヤコントロール又はリモコンの制御器でいずれのワンセット又はマルチセットの正負電極ポイントも操作および制御可能であることを特徴とする請求項１記載の低周波で人体の胸部のつぼを電気激発させる補助装置。
【請求項６】
制御器は電流出力の開閉および強弱の調節を制御し、選定の機能を具有することを特徴とする請求項５記載の低周波で人体の胸部のつぼを電気激発させる補助装置。
【請求項７】
電気激発薄片は女性のブランジャーのカップ内面に設けられ、ワンセット又はマルチセットの正負電極ポイント又はエリアは胸部のつぼに対応するように分布されることを特徴とする請求項１記載の低周波で人体の胸部のつぼを電気激発させる補助装置。
【請求項８】
電気激発薄片は植えいれる形態でブランジャーの内面に貼り付けることを特徴とする請求項１記載の低周波で人体の胸部のつぼを電気激発させる補助装置。
【請求項９】
電気激発薄片は一体化成型の形態で直接にブランジャーの内面に設けることを特徴とする請求項１記載の低周波で人体の胸部のつぼを電気激発させる補助装置。
【請求項１０】
ブランジャーの外側面に電流強度を制御する調節スイッチを取り付けることを特徴とする請求項９記載の低周波で人体の胸部のつぼを電気激発させる補助装置。
【請求項１１】
電気激発薄片は分離式の正負電極貼り付け薄片のように作られることを特徴とする請求項１記載の低周波で人体の胸部のつぼを電気激発させる補助装置。
【請求項１２】
分離式の正負電極貼り付け薄片は肌および皮膚と貼り付けて接触する表面に単層の導電シリコンを覆うことを特徴とする請求項１記載の低周波で人体の胸部のつぼを電気激発させる補助装置。
【発明の詳細な説明】
【０００１】
【発明の属する技術分野】
本発明は、低周波で人体の胸部のつぼを電気激発させる補助装置を提供することにある。主に、ワンセット又はワンセット以上の正負電極ポイントを並列又は直列の組合せで銅箔板、導電ゴム又は導電フィルムに設置することにより、電気激発薄片を形成する。
【０００２】
そんな電気激発薄片は女性のブランジャーの内面に適用できる。また、制御装置により、ワンセットやマルチセットを選択して、低周波で人体の胸部のつぼを電気激発する。
【０００３】
【従来の技術】
従来から、既存の低周波の補助装置（按摩器又は治療器と呼ぶ）は、大体、制御器、シリコンゴム電極薄片、シリコン軟膏（俗名導電のゲル）および碗状のシリコン電極カップなどの要素から形成される。
【０００４】
【発明が解決しようとする課題】
でも、その製造コストはとても高いし、使用の時期および場所が特定の制限を受ける。また、導電の効果が良くないし、特に、体の使用部位にシリコン軟膏を塗布しなければならないので、濃くどろどろしているように流れて、ユーザはいつも気持ち悪いばかりでなく、洗浄も容易ではない。その他、シリコン電極薄片又は碗状のシリコンカップを問わず、身に貼り付けるように隠すことができないので、空間が必要である以外に、身に付けて隠すように使えない。
したがって、本発明の主な目的は、低周波で人体の胸部のつぼを電気激発させる補助装置を提供することにある。
【０００５】
【課題を解決するための手段】
主に、ワンセット又はワンセット以上の正負電極ポイントを並列又は直列の組合せで銅箔板、導電ゴム又は導電フィルムに設置することにより、電気激発薄片を形成する。
【０００６】
そんな電気激発薄片は女性の胸部のつぼに沿って分布され、ワンセット又はワンセット以上の正負電極ポイントを具有する。電気激発薄片はブランジャーの内面に付けて結ぶように又は一体化のように成型される。また、制御装置でワンセットやマルチセットの正負電極ポイントを操作および制御することにより、低周波で人体の胸部の選定つぼを電気激発したり、胸を豊かなようにしたり、体を健康にするという効果に役立つ。
【０００７】
【発明の実施の形態】
本発明の目的、特徴および効果などをご了解  なさるために、以下、さらに具体的な実施例を図面にあわせて詳しく説明してみよう。
まずは図１および図２を御覧下さい。本発明の一実施例による低周波で人体の胸部のつぼを電気激発させる補助装置の設計は、主に、ワンセット又はワンセット以上の正電極ポイント１１および負電極ポイント１２を並列又は直列の組合せで導電フィルム１（銅箔板又は導電ゴム材質）に設置することにより、電気激発薄片１０を形成する。正電極ポイント１１および負電極ポイント１２は導電パス１１１又は導電パス１２１を経由して、正電極の極性接点部１１２又は負電極の極性接点部１２２に接続される。極性接点部１１２および極性接点部１２２は個別にワイヤ１１３又はワイヤ１２３で正電極ポイント１１又は負電極ポイント１２の導電挿入接続ピン１１４又は導電挿入接続ピン１２４に接続される。また、前述の導電パス１１１および導電パス１２１は、図２に示すように、導電フィルム１の薄片体で挟まれる層に設けられるので、正電極ポイント１１と負電極ポイント１２との間は絶縁の状態となる。
【０００８】
前掲のワンセット又はワンセット以上の正電極ポイント１１および負電極ポイント１２を並列又は直列の組合せで導電フィルム１（銅箔板又は導電ゴム材質）に設置することにより形成される電気激発薄片１０としては、正電極ポイント１１および負電極ポイント１２を人体の胸部のつぼに対応させ、図３に示すように、ワイヤコントロール（又はリモコン）の制御器２でいずれのワンセット又はマルチセットの正負電極ポイントも操作および制御することができる。結局、低周波で人体の胸部のつぼを電気激発および按摩して、人体の使用部位の血液を促進することにより、体の健康のために筋および脈をくつろがせると言う効果を遂げる。
【０００９】
上述の制御器２は電流出力の開閉および強弱を制御および調節し、各種の選定効果を具有する。その内部に電池を設置し、二本の異なる正負極性の導電挿入接続ピン２１および導電挿入接続ピン２２をそれぞれ電気激発薄片１０の導電挿入接続ピン１１４又は導電挿入接続ピン１２４に導く。制御器２は、選定箇所にニーズに応じてクリップ２３を設置してもよく、使用のときに、身に付けることができる。制御スイッチ２４および制御スイッチ２５は開閉するように操作および制御できる。電流強弱の調節スイッチ２６はプッシプール又はノッブのステップレススイッチ形態を採用してもよい。
【００１０】
図４および図５を御覧下さい。上述の電気激発薄片１０を女性のブランジャーのカップ３内面に実施する場合、正電極ポイント１１および負電極ポイント１２（又はエリア）が胸部のつぼに対応するように分布する。そうすると、通電のとき、特定のつぼを個別又は同時に低周波で電気激発および按摩することにより、胸部の曲線を美化する効果を果たす。前掲のカップ３内面に実施した電気激発薄片１０における各セットの正電極ポイント１１および負電極ポイント１２の分布又は形態は限定されない。図６および図７に示すように、異なる正電極エリア１１および負電極エリア１２の電気激発薄片１０が胸部の“天谿”つぼに対応すれば、電気激発および按摩するときに、乳房のはれふくれを除く効果がある。胸部の“輒筋”つぼを電気激発および按摩するとき、気を塞ぐことを解除する効果が発揮される。
【００１１】
上述の女性のブランジャーカップ３の内面に実施する電気激発薄片１０については、電気激発薄片１０を適当にブランジャーの内面に付け結んでもよいし（図８に示すのは植え入れて結合する形態である）、又は、一体化してブランジャーの内面に直接に設けてもよい（図９に示すのは一体化の結合形態である）。しかも、ワイヤコントロール（又はリモコン）の制御器２を利用して、いずれのワンセット又はマルチセットの正電極ポイント１１および負電極ポイント１２も操作および制御する。図９および図１０に示すように、調節スイッチ２６をそれぞれブランジャーの両側に設けて、電流の強弱を制御する。そうすると、低周波で人体のつぼを電気激発したり、血液の循環を促進したり、胸を豊かなように綺麗にさせるという効果に役立つ。前述の一体化成型でブランジャーの内面に設けた電気激発薄片１０としては、ブランジャーの外側に電流強度の制御器２を追加してもよく、図９および図１０に示すように、便利に電流を調節する。
【００１２】
図１２から図１７の様々な実施例を御覧ください。それらはワンセット又はワンセット以上の正負電極ポイントを持つ電気激発薄片を自由に人体の様々な選定つぼに分布して設けることを表す。
【００１３】
本発明の実施例により、女性のブランジャーカップ３の内面に実施する電気激発薄片１０の材質は限られない。図１８に示す導電フィルム１は銅箔板又は導電ゴムなどの厚くて堅実の材質であり、内部放置式の電気激発薄片１０を構成する。（図１９を御参照）。カップ３の内面に実施する内部放置式の電気激発薄片１０も、図２０および図２１に示すように、ワイヤコントロール又はリモコン方式でいずれのワンセット又はマルチセットも制御する。
【００１４】
上述の女性の胸を豊かにし、体を強化する電気激発薄片１０は、図２２から図２４に示すように、分離式の正電極貼り付け薄片１０１および負電極貼り付け薄片１０２の形態を採用しても良い。また、肌および皮膚に貼り付ける接触表面に、単層の導電シリコン１０３を覆う。それで、融通するように貼り付けられ、自由に胸部の選定のつぼに貼り、低周波で電気激発および按摩することを行う。
【００１５】
しかしながら、前述の低周波で人体の胸部のつぼを電気激発させる補助装置の様々な形態は、本発明の実施例だけで本発明の技術範囲を限定しない。同様効果の応用、前項技術手段の簡易変更および類似の改善などはすべて本発明の請求範疇に含まれる。
【００１６】
本発明は、低周波で人体の胸部のつぼを電気激発させる補助装置の設計を提供する。ワンセット又はワンセット以上の正負電極ポイントを並列又は直列の組合せで銅箔板、導電ゴム又は導電フィルムに設置することにより、電気激発薄片を形成する。正負電極ポイントを人体の胸部の選定つぼに対応させ、ワイヤコントロール（又はリモコン）の制御器でいずれのワンセット又はマルチセットの正負電極ポイントも操作および制御することができる。つまり、低周波で人体の胸部のつぼを電気激発および按摩して、人体の使用部位の血液を促進させることにより、体の健康のために筋および脈をくつろがせると言う効果を遂げる。
【００１７】
本発明は、低周波で人体の胸部のつぼを電気激発させる補助装置の設計を提供することにある。ワンセット又はワンセット以上の正負電極ポイントを持つ電気激発薄片を女性のブランジャーの内面に実施する場合、各正負電極ポイントが胸部のつぼに対応するように分布する。そうすると、特定のつぼを個別又は同時に低周波で電気激発および按摩することにより、胸部の曲線を美化する効果を果たす。例えば、胸部の“天谿”つぼを電気激発および按摩するとき、乳房のはれふくれを除く効果がある。胸部の“輒筋”つぼを電気激発および按摩するとき、気を塞ぐことを解除する効果が発揮できる。
【図面の簡単な説明】
【図１】本発明の一実施例による低周波で人体の胸部のつぼを電気激発させる補助装置の電気激発薄片の局部を示す斜視図である。
【図２】本発明の一実施例による低周波で人体の胸部のつぼを電気激発させる補助装置の電気激発薄片の局部を示す断面図である
【図３】本発明の一実施例による低周波で人体の胸部のつぼを電気激発させる補助装置の制御器を示す斜視図である。
【図４】本発明の一実施例による低周波で人体の胸部のつぼを電気激発させる補助装置のブラジャーカップの内面に応用される状態を示す模式図である。
【図５】本発明の一実施例による低周波で人体の胸部のつぼを電気激発させる補助装置のブラジャーカップの内面に応用される状態を示す断面図である。
【図６】本発明の一実施例による低周波で人体の胸部のつぼを電気激発させる補助装置の電気激発薄片が異なる正負電極エリアを持つ形態を示す模式図である。
【図７】本発明の一実施例による低周波で人体の胸部のつぼを電気激発させる補助装置の電気激発薄片が異なる正負電極エリアを持つもう一つの形態を示す模式図である。
【図８】本発明の一実施例による低周波で人体の胸部のつぼを電気激発させる補助装置の電気激発薄片をブラジャーの内面に植えいれて結ぶ方式を示す模式図である。
【図９】本発明の一実施例による低周波で人体の胸部のつぼを電気激発させる補助装置の電気激発薄片をブラジャーの内面に一体化して直接設ける方式を示す模式図である。
【図１０】本発明の一実施例による低周波で人体の胸部のつぼを電気激発させる補助装置の制御器で正負電極ポイントを操作および制御するブラジャーの形態を示す模式図である。
【図１１】本発明の一実施例による低周波で人体の胸部のつぼを電気激発させる補助装置のブラジャーの外側面に設ける調節スイッチで電流を調節する状態を示す模式図である。
【図１２】本発明の一実施例による低周波で人体の胸部のつぼを電気激発させる補助装置の正負電極ポイントを人体の胸部のつぼに分布する状態を示す模式図である。
【図１３】本発明の一実施例による低周波で人体の胸部のつぼを電気激発させる補助装置の正負電極ポイントを人体の胸部のつぼに分布する状態を示す模式図である。
【図１４】本発明の一実施例による低周波で人体の胸部のつぼを電気激発させる補助装置の正負電極ポイントを人体の胸部のつぼに分布する状態を示す模式図である。
【図１５】本発明の一実施例による低周波で人体の胸部のつぼを電気激発させる補助装置の正負電極ポイントを人体の胸部のつぼに分布する状態を示す模式図である。
【図１６】本発明の一実施例による低周波で人体の胸部のつぼを電気激発させる補助装置の正負電極ポイントを人体の胸部のつぼに分布する状態を示す模式図である。
【図１７】本発明の一実施例による低周波で人体の胸部のつぼを電気激発させる補助装置の正負電極ポイントを人体の胸部のつぼに分布する状態を示す模式図である。
【図１８】本発明の一実施例による低周波で人体の胸部のつぼを電気激発させる補助装置の導電フィルムで構成した電気激発薄片をブラジャーカップに実施する状態を示す断面図である。
【図１９】本発明の一実施例による低周波で人体の胸部のつぼを電気激発させる補助装置の銅箔板又は導電ゴムで構成した電気激発薄片をブラジャーカップに実施する状態を示す断面図である。
【図２０】本発明の一実施例による低周波で人体の胸部のつぼを電気激発させる補助装置のワイヤコントロール方式で正負電極ポイントを選定および制御するブラジャーの形態を示す模式図である。
【図２１】本発明の一実施例による低周波で人体の胸部のつぼを電気激発させる補助装置のワイヤコントロール方式で正負電極ポイントを選定および制御するブラジャーのもう一つの形態を示す模式図である。
【図２２】本発明の一実施例による低周波で人体の胸部のつぼを電気激発させる補助装置の電気激発薄片を貼り付け薄片の形態に作る状態を示す模式図である。
【図２３】本発明の一実施例による低周波で人体の胸部のつぼを電気激発させる補助装置の電気激発薄片を貼り付け薄片の形態に作る状態を示す断面図である。
【図２４】本発明の一実施例による低周波で人体の胸部のつぼを電気激発させる補助装置の電気激発薄片を貼り付け薄片の形態に作る状態を示す模式図である。
【符号の説明】
１    導電フィルム
２    制御器
３    カップ
１０    電気激発薄片
１１    正電極ポイント
１２    負電極ポイント
２１    導電の挿入接続ピン
２２    導電の挿入接続ピン
２３    クリップ
２４    制御スイッチ
２５    制御スイッチ
２６    調節スイッチ
１０１    正電極の貼り付け薄片
１０２    負電極の貼り付け薄片
１０３    導電シリコン
１１１    導電パス
１１２    正電極の接点部
１１３    ワイヤ
１１４    導電の挿入接続ピン
１２１    導電パス
１２２    負電極の接点部
１２３    ワイヤ
１２４    導電の挿入接続ピン
【図１】
2004236686.tif 000003
【図２】
2004236686.tif 000004
【図３】
2004236686.tif 000005
【図４】
2004236686.tif 000006
【図５】
2004236686.tif 000007
【図６】
2004236686.tif 000008
【図７】
2004236686.tif 000009
【図８】
2004236686.tif 000010
【図９】
2004236686.tif 000011
【図１０】
2004236686.tif 000012
【図１１】
2004236686.tif 000013
【図１２】
2004236686.tif 000014
【図１３】
2004236686.tif 000015
【図１４】
2004236686.tif 000016
【図１５】
2004236686.tif 000017
【図１６】
2004236686.tif 000018
【図１７】
2004236686.tif 000019
【図１８】
2004236686.tif 000020
【図１９】
2004236686.tif 000021
【図２０】
2004236686.tif 000022
【図２１】
2004236686.tif 000023
【図２２】
2004236686.tif 000024
【図２３】
2004236686.tif 000025
【図２４】
2004236686.tif 000026